(57)【特許請求の範囲】
【請求項１】
非常時にエンジンを使用して発電機を作動させ負荷に電源を供給する非常用発電機の制御装置であって、
前記制御装置は、非常用発電機の制御を切換える時間のデータで複数種類の設定値を備えた個別データと、当該個別データに基づいて非常用発電機を制御するためのＣＰＵと、複数の前記個別データを番号と関連づけて記憶する記憶領域と、前記番号を選択することで前記個別データを抽出して当該個別データをＣＰＵに設定する選択設定手段と、前記記憶領域に記憶されている前記個別データを書き換える書換手段と、を設け、
前記記憶領域には、一度書き込みを行うと書換えが不可能な第１の記憶領域と、書換えが可能な第２の記憶領域とを設け、
複数の前記個別データのうち最も標準的に使用される前記時間のデータを初期値データとして第２の記憶領域に割り当て記憶し、この初期値データを含めた複数の前記個別データを第１の記憶領域に割り当て記憶して、前記第２の記憶領域に記憶された前記初期値データを前記書換手段により書き換え可能にしたことを特徴とする非常用発電機の制御装置。
【請求項２】
前記書換手段は、
前記第２の記憶領域に記憶されている前記初期値データを読み出す読出手段と、
前記読出手段により読み出された前記初期値データを表示する表示装置と、
書き換えデータを入力可能な操作スイッチと、
前記操作スイッチにより入力された前記書き換えデータを前記第２の記憶領域に記憶させて登録する記憶登録手段と、
を備えることを特徴とする請求項１に記載の非常用発電機の制御装置。
【請求項３】
前記書換手段は、当該制御装置に接続され、前記第２の記憶領域に記憶された前記初期値データの書き換え可能な端末装置であることを特徴とする請求項１に記載の非常用発電機の制御装置。
【請求項４】
第１の記憶領域は、前記ＣＰＵに内蔵された内蔵記憶媒体に設けられ、第２の記憶領域は、前記ＣＰＵ以外の外部の外部記憶媒体に設けられたことを特徴とする請求項１乃至請求項３のいずれか一項に記載の非常用発電機の制御装置。
【請求項５】
非常用発電機の制御装置のデータ設定方法において、非常用発電機の制御を切換える時間のデータで複数種類の設定値を備えた個別データを番号と関連づけて、一度書き込みを行うと書換えが不可能な第１の記憶領域と書換えが可能な第２の記憶領域とに複数記憶し最も標準的に使用される前記時間のデータを初期値データとして前記第１の記憶領域および前記第２の記憶領域のいずれにも記憶する第１ステップと、
前記第１ステップにより記憶された前記複数の個別データの設定値と異なる設定値を新たな前記個別データに設定する第２ステップと、
前記第２ステップにより設定された前記新たな個別データを前記第１ステップにより記憶された前記初期値データに代えて第２の記憶領域に記憶する第３ステップと、
を含むことを特徴とする非常用発電機の制御装置のデータ設定方法。
【発明の詳細な説明】
【技術分野】
【０００１】
本発明は、停電などにおける非常時にエンジンを使用して発電機を作動させ負荷に電源を供給する非常用発電機を制御するための設定を複数備えた非常用発電機の制御装置及びこれを用いたデータ設定方法に関するものである。
【背景技術】
【０００２】
従来より、電力不足や停電等の非常時に始動する発電機を具備する非常用発電機がある。その非常用発電機は、ディーゼルエンジン、ガソリンエンジンやガスタービンの動力を利用して発電機を作動させることで発電を行い、一般的なビルや病院等の場所において非常時に最低限必要となる負荷に対して電力供給を行うための一つとして、近年広く設置されている。
【０００３】
これら非常用発電機は、停電等の異常を検知してからエンジンが始動し負荷に電力が供給されるまで、各機器を制御するため多数の工程を経て制御されている。そして、その行程は、タイミング設定が幾数もの複雑に設定がなされ、人が手動で運転するのには難しく、ＣＰＵを内蔵したコンピュータにより予め設定されたプログラムに従い自動で運転されている。
このような非常用発電機の制御装置の具体例としては、下記特許文献１及び特許文献２に示されるようなものがある。
【特許文献１】特開２０００−４１３４７号公報（段落００２０〜００２１，図６）
【特許文献２】実公平６−６６４８号公報（第５−６頁，第５図）
【発明の開示】
【発明が解決しようとする課題】
【０００４】
ところで、これら特許文献に示されるような非常用発電機の制御装置は、負荷の種類やエンジンの種類によってタイミング設定が各々異なり、制御基板を共通して利用するためには幾種類もの設定をＲＯＭ内に用意する必要があった。
しかしながら、ＲＯＭに記憶される設定数には限度があり、必ずしも全てを充足する設定を記憶させることが難しかった。そのため、ＲＯＭ内に記憶されている設定値では対応することが出来ない仕様の場合には、ＲＯＭを書き直し記憶させる必要があり、製造時に工数が余分に必要となるだけでなく、一度に大量に制御基板を生産することが出来なかった。
【０００５】
そこで、本発明は上記課題を解決するべくなされたものであって、非常用発電機の制御装置における制御基板を量産することができ、あらゆる設定に対応することが出来る非常用発電機の制御装置及びこれを用いたデータ設定方法を提供することを目的としている。
【課題を解決するための手段】
【０００６】
上記課題を解決するために、請求項１記載の非常用発電機の制御装置は、非常時にエンジンを使用して発電機を作動させ負荷に電源を供給する非常用発電機の制御装置であって、前記制御装置は、非常用発電機の制御を切換える時間のデータで複数種類の設定値を備えた個別データと、当該個別データに基づいて非常用発電機を制御するためのＣＰＵと、複数の前記個別データを番号と関連づけて記憶する記憶領域と、前記番号を選択することで前記個別データを抽出して当該個別データをＣＰＵに設定する選択設定手段と、前記記憶領域に記憶されている前記個別データを書き換える書換手段と、を設け、前記記憶領域には、一度書き込みを行うと書換えが不可能な第１の記憶領域と、書換えが可能な第２の記憶領域とを設け、複数の前記個別データのうち最も標準的に使用される前記時間のデータを初期値データとして第２の記憶領域に割り当て記憶し、この初期値データを含めた複数の前記個別データを第１の記憶領域に割り当て記憶して、前記第２の記憶領域に記憶された前記初期値データを前記書換手段により書き換え可能にしたことを特徴とする。
【０００７】
請求項２記載の非常用発電機の制御装置は、請求項１に加え、前記書換手段は、前記第２の記憶領域に記憶されている前記初期値データを読み出す読出手段と、前記読出手段により読み出された前記初期値データを表示する表示装置と、書き換えデータを入力可能な操作スイッチと、前記操作スイッチにより入力された前記書き換えデータを前記第２の記憶領域に記憶させて登録する記憶登録手段と、を備えることを特徴とする。
【０００８】
請求項３記載の非常用発電機の制御装置は、請求項１に加え、前記書換手段は、当該制御装置に接続された端末装置であり、前記第２の記憶領域に記憶された前記初期値データの書き換えは、この端末装置により行われることを特徴とする。
【０００９】
請求項４記載の非常用発電機の制御装置は、請求項１乃至請求項３のいずれか一項に加え、第１の記憶領域は、前記ＣＰＵに内蔵された内蔵記憶媒体に設けられ、第２の記憶領域は、前記ＣＰＵ以外の外部の外部記憶媒体に設けられたことを特徴とする。
請求項５記載の非常用発電機の制御装置のデータ設定方法は、非常用発電機の制御装置のデータ設定方法において、非常用発電機の制御を切換える時間のデータで複数種類の設定値を備えた個別データを番号と関連づけて、一度書き込みを行うと書換えが不可能な第１の記憶領域と書換えが可能な第２の記憶領域とに複数記憶し最も標準的に使用される前記時間のデータを初期値データとして前記第１の記憶領域および前記第２の記憶領域のいずれにも記憶する第１ステップと、前記第１ステップにより記憶された前記複数の個別データの設定値と異なる設定値を新たな前記個別データに設定する第２ステップと、前記第２ステップにより設定された前記新たな個別データを前記第１ステップにより記憶された前記初期値データに代えて第２の記憶領域に記憶する第３ステップと、を含むことを特徴とする。
【発明の効果】
【００１０】
請求項１記載の非常用発電機の制御装置は、非常時にエンジンを使用して発電機を作動させ負荷に電源を供給する非常用発電機の制御装置であって、前記制御装置は、非常用発電機の制御を切換える時間のデータで複数種類の設定値を備えた個別データと、当該個別データに基づいて非常用発電機を制御するためのＣＰＵと、複数の前記個別データを番号と関連づけて記憶する記憶領域と、前記番号を選択することで前記個別データを抽出して当該個別データをＣＰＵに設定する選択設定手段と、前記記憶領域に記憶されている前記個別データを書き換える書換手段と、を設け、前記記憶領域には、一度書き込みを行うと書換えが不可能な第１の記憶領域と、書換えが可能な第２の記憶領域とを設け、複数の前記個別データのうち最も標準的に使用される前記時間のデータを初期値データとして第２の記憶領域に割り当て記憶し、この初期値データを含めた複数の前記個別データを第１の記憶領域に割り当て記憶して、前記第２の記憶領域に記憶された前記初期値データを前記書換手段により書き換え可能にしたので、大量に制御基板を生産してもあらゆるデータの変更に対応することが出来る。また、前記設定値は、非常用発電機の制御を切換える時間のデータであるので、発電機の調子に合わせて何度も書換えて変更することが出来る。さらに、第２の記憶領域に記憶される初期値のデータは、最も標準的に使用される時間データであるので、間違って書換え可能な第２の記憶領域が選択されたとしても、例えば、非常用発電が行われないと発電までの切換が遅れるとか負荷に与える障害となることはなく、これにより安全動作を保つことが出来る。
【００１１】
さらに、複数の前記個別データと関連づけられている番号を前記選択設定手段により選択することにより非常用発電機の制御を切換える時間のデータを抽出することが出来るので、例えば、予め主要な時間のデータで時間制御が満たされる場合には、書換えが不可能な第１の記憶領域又は書換えが可能な第２の記憶領域に記載された時間のデータを設定し、これらの記憶領域内に納められた時間のデータでは対応することが出来ない場合には、書換手段により所望する時間のデータを第２の記憶領域に記憶させ、それ以降は、その時間のデータで前記非常用発電機を制御することが出来るので、大量生産してもあらゆる時間設定に対応することが出来る。
このような書換手段は、例えば、請求項２に記載したように「前記第２の記憶領域に記憶されている前記初期値データを読み出す読出手段と、前記読出手段により読み出された前記初期値データを表示する表示装置と、書き換えデータを入力可能な操作スイッチと、前記操作スイッチにより入力された前記書き換えデータを前記第２の記憶領域に記憶させて登録する記憶登録手段と、を備える」構成を採る。
【００１２】
また、請求項３に記載の構成のように、前記書換手段として、当該制御装置に接続され、前記第２の記憶領域に記憶された前記初期値データの書き換え可能な端末装置であっても良い。これにより、当該制御装置の外部から前記個別データを書き換えることが出来る。
【００１３】
請求項４記載の非常用発電機の制御装置は、請求項１乃至請求項３のいずれか一項に加え、第１の記憶領域は、前記ＣＰＵに内蔵された内蔵記憶媒体に設けられ、第２の記憶領域は、前記ＣＰＵ以外の外部の外部記憶媒体に設けられたので、上記請求項１の効果に加え、量産時にＣＰＵにはプログラムとデータを同時に書き込むことが出来るので、大量に制御基板を造り置きをすることが出来る。また、データの変更が必要なときは第２の記憶領域だけを書換えすれば良く時間的なロスも少ない。
請求項５記載の非常用発電機の制御装置のデータ設定方法は、非常用発電機の制御装置のデータ設定方法において、非常用発電機の制御を切換える時間のデータで複数種類の設定値を備えた個別データを番号と関連づけて、一度書き込みを行うと書換えが不可能な第１の記憶領域と書換えが可能な第２の記憶領域とに複数記憶し最も標準的に使用される前記時間のデータを初期値データとして前記第１の記憶領域および前記第２の記憶領域のいずれにも記憶する第１ステップと、前記第１ステップにより記憶された前記複数の個別データの設定値と異なる設定値を新たな前記個別データに設定する第２ステップと、前記第２ステップにより設定された前記新たな個別データを前記第１ステップにより記憶された前記初期値データに代えて第２の記憶領域に記憶する第３ステップと、を含んだので、大量に制御基板を生産してもあらゆるデータの変更に対応することが出来る。また、第１ステップによって第２の記憶領域にも記憶される初期値のデータは、最も標準的に使用される時間データであるので、間違って書換え可能な第２の記憶領域が選択されたとしても、例えば、非常用発電が行われないと発電までの切換が遅れるとか負荷に与える障害となることはなく、これにより安全動作を保つことが出来る。
【発明を実施するための最良の形態】
【００１４】
図１に基づいて、本実施形態の非常用発電機１の制御装置２０を以下に説明する。図１は、本実施形態の非常用発電機１の構成の概要を示すブロック図である。
【００１５】
図１に示すように、非常用発電機１は、主に電力を発電する発電機２と、発電機２を稼働させるためのエンジン３と、発電機２及びエンジン３を含め各機器の制御や負荷に供給する電力を監視・制御するための制御装置２０と、から構成されている。
発電機２には、発電した電力を図示しない負荷に供給するための電線である負荷送電線１１が接続されている。
エンジン３には、エンジン３を制御するための機器である燃料ポンプ８と、予熱ヒータ７と、停止ソレノイド６と、セルモータ５と、が接続されている。直流電源となるバッテリ４は、セルモータ５に接続されている。
制御装置２０には、商用交流電源の電線や各機器を制御するための通信を行う信号線が集約された電機接続配線９が接続されている。
【実施例１】
【００１６】
以下、本実施形態の一実施例を図２乃至図４に基づいて以下に示す。本実施例の非常用発電機１の制御装置２０を以下に説明する。図２は、本実施例の非常用発電機１の制御装置２０の構成概要を示すブロック図である。図３は、本実施例の非常用発電機１の制御装置２０にある操作パネル２１を示す正面図である。図４（Ａ）は、ＲＯＭ３０に記憶され非常用発電機１の制御にかかるタイムスケジュール設定値データのデータテーブルを示す図である。図４（Ｂ）は、ＥＥＰＲＯＭ４０に記憶され非常用発電機１の制御にかかるタイムスケジュール設定値データのデータテーブルを示す図である。
【００１７】
図２に示すように、制御装置２０は、表に操作パネル２１を配置し、裏面には、非常用発電機１全体をコントロールするためのＣＰＵ２２を内蔵したプリント基板１０が配置されている。
プリント基板１０は、第１の記憶領域としてのＲＯＭ３０・ＲＡＭ２４を内蔵したＣＰＵ２２と、第２の記憶領域としての不揮発性のＥＥＰＲＯＭ４０と、１６種類の設定が可能な設定手段としてのディップスイッチ５０とを設け、ＣＰＵ２２は、ＥＥＰＲＯＭ４０とディップスイッチ５０とに接続されている。また、ＣＰＵ２２は、出荷時にプログラムデータ及び後述する時間データが一度に書き込まれ生産される。プリント基板１０は、その他にも、プリント基板１０を駆動するための抵抗やトランジスタ又は表側の操作パネル２１に対応するＬＥＤ及びスイッチ等を含む電子部品が設けられているが、詳細は省略する。
【００１８】
図３に示すように操作パネル２１は、操作スイッチとして各種の「切替」スイッチ、「設定」スイッチや「緊急停止」スイッチなどが設けられ、故障の状態を表す表示や供給する電力量等を表す表示が設けられている。
【００１９】
図４（Ａ）に示すように、ＲＯＭ３０には停電時の非常用発電機１の制御にかかるタイムスケジュールに関するデータが出荷時に予め記憶されている。設定値としてのこれらデータは、７種類の時間データがあり、これらを１つのデータ群（個別データ）として、ＲＯＭ３０にはそれぞれデータ値（時間（秒））の組み合わせが異なる１５個のデータ群（個別データ）が記憶されている。
【００２０】
その個々の時間データには、タイムスケジュールに関するデータが記憶された番号を表す「タイムスケジュール番号データ３１」と、制御基板２０が停電であるかを確認判断する時間となる「停電確認時間データ３２」と、エンジン３の始動に際してヒータにより予熱するための時間となる「予熱時間データ３３」と、「プライミング時間データ３４」と、制御基板２０が停電が復旧したことを確認判断する時間となる「復電確認時間データ３５」と、給電を停止しエンジン３を冷却する時間となる「無負荷運転時間データ３６」と、エンジンが停止したことを確認する時間となる「停止確認時間データ３７」と、保護回路が異常であるか否かの判定を遅らせるための時間となる「遅延時間データ３８」とがある。
【００２１】
図４（Ｂ）に示すように、ＥＥＰＲＯＭ４０は、上記データ（３１〜３８）と同じ内容のデータ（「タイムスケジュール番号データ４１」、「停電確認時間データ４２」、「予熱時間データ４３」、「プライミング時間データ４４」、「復電確認時間データ４５」、「無負荷運転時間データ４６」、「停止確認時間データ４７」、「遅延時間データ４８」）が記憶されている。また、後述する操作によりデータ（４１〜４８）を出荷時以降、エンジン３の仕様に合わせ１秒から２５５秒まで書換えることが出来るように、ＥＥＰＲＯＭ４０は不揮発性ＲＯＭで構成されている。ＥＥＰＲＯＭ４０は、出荷時には最も使用頻度が多いデータが記憶されている（例えば、図４（Ｂ）に示す、「停電確認時間データ４２＝１」、「予熱時間データ４３＝１０」、「プライミング時間データ４４＝０」、「復電確認時間データ４５＝６０」、「無負荷運転時間データ４６＝１２０」、「停止確認時間データ４７＝３０」、「遅延時間データ４８＝３０」である。）。
【００２２】
（本実施例１の動作）
以下、本実施例の動作を図５乃至図８に基づいて説明する。
〔停電時の動作〕
図５に基づいて停電時に作動する非常用発電機１の動作を示す。以下に示す例は、タイムスケジュール番号＝０の場合を例に取り説明するが、特に設定値を限定するものではない。図５は、本実施形態の非常用発電機１の動作を示すタイムチャート図である。
制御装置２０は、停電であると検出した場合に、停電確認時間１秒即ち図５に示すＴ１時間を確認するための時間を定め、この間絶えず停電を検出を行たり、Ｔ１時間経過後判断することで停電であることを確認する。このとき、停電であると検出すると燃料ポンプが作動し、エンジン３に燃料を供給する。
【００２３】
そして、Ｔ１時間経過後は、予熱ヒータ７を駆動する時間１０秒即ちＴ２時間を定め、この時間絶えず予熱ヒータ７によってエンジン３を予熱する。その後、エンジン３を始動させるためにセルモータ５が起動し、エンジン３に接続された発電機２が発電する発電確立電圧となる周波数１２．５Ｈｚを検出するまでセルモータ５が作動する。また、停止ソレノイド６が作動し、エンジン３に対してブレーキを掛けながらエンジン３を始動させる。これらプライミング時間５秒が設けられ、Ｔ３の期間で表されている。
【００２４】
次に、プライミング時間が経過すると、ある一定以上の発電確立電圧となる通常時５０Ｈｚの場合には周波数４５Ｈｚ、通常時６０Ｈｚの場合には周波数５４Ｈｚを検出するまで初期励磁が行われ、負荷に電力を供給することが出来るか否かを確認し、負荷に電力を供給するように切替が行われ、負荷への給電が始まる。
そして、制御装置２０は、復電されたことを検出すると、復電が確実なものか否かを確認するための復電確認時間６０秒即ちＴ４の時間確認する時間が設けられ、復電が確認されると、負荷は通常時の供給状態に切替えられ、発電機２は負荷が接続されていない状態で無負荷運転時間１２０秒即ちＴ５の期間運転される。そして、エンジン３が停止され、停止ソレノイド６が作動し徐々にエンジン３が停止してゆく。完全にエンジンが停止されたか否かを確認するために停止確認時間３０秒即ちＴ６の時間確認する時間が設けられ
ている。
【００２５】
尚、停電を検出してから発電した電力を負荷に正常に供給するまでには時間がかかり、その間保護回路が異常と誤認しないように遅延時間として保護回路遅延時間３０秒が設けられている。
【００２６】
〔タイムスケジュールの設定をする際の操作〕
図６及び図７に基づいてタイムスケジュールへの登録する際の操作を説明する。図６は、本実施例１の非常用発電機１の制御装置２０の特殊モードへの移行処理を示すフロー図である。図７は、本実施形態の非常用発電機１の制御装置２０のタイムスケジュールの設定値を登録するタイムスケジュール登録処理を示すフロー図である。
タイムスケジュールへデータを変更登録するには、タイムスケジュール登録処理へ移行する必要があり、特殊モードを経由して移行される。
【００２７】
特殊モードは、制御装置２０に設けられている特殊操作が要求される場合に使用する操作モードである。例えば、時間設定値又はプログラム動作の順番の変更等、通常には操作することにない特殊なモードである。特殊モードへ移行するには（Ｓ１）、特殊操作（Ｓ３）、ここでは、同時に異なるボタンを押した後、パスワ−ドを入力し予め入力されたパスワードに合致した場合に特殊モードへ移行する（Ｓ５）。そして、多々ある処理の中からタイムスケジュール登録処理を選択（Ｓ７）すると、タイムスケジュール登録処理へ移行し（Ｓ１０）、特殊モードへの移行処理は終了する。
【００２８】
次に、タイムスケジュール登録処理（Ｓ１０）は、ＥＥＰＲＯＭ４０のタイムスケジール書換え可能領域に書き込まれた設定時間（４１〜４８）を読み出し（Ｓ１１）、操作パネル２１上にあるＬＥＤの表示部分に表示する。そして、変更する設定時間を書き込み設定し（Ｓ１３）、設定時間をＥＥＰＲＯＭ４０の書換え可能領域に記憶・登録し、（Ｓ１５）タイムスケジュール登録処理を終了する。
【００２９】
これら操作は、操作パネル２１上のスイッチで行うことができ、操作表示や各種モードの表示は、操作パネル２１上にあるＬＥＤの表示部分で表示される。以降の操作も同様にして行われる。
【００３０】
〔停電時タイムスケジュール処理〕
図８に基づいて、停電時に非常用発電機が作動する際の制御装置２０が、タイムスケジュール番号を選択する際のタイムスケジュール処理（Ｓ２０）を説明する。図８は、停電時における非常用発電機１の制御装置２０がタイムスケジュール番号を選択する際の停電時タイムスケジュール処理を示すフロー図である。
【００３１】
制御装置２０は、停電が検出されるまでは作動せず待機される（Ｓ２１のＮｏ）。停電が検出されると（Ｓ２１のＹｅｓ）、ディップスイッチ５０が設定されてあるタイムスケジュール番号を確認し（Ｓ２３）、タイムスケジュール番号が「Ｎｏ．１５」を選択された場合には（Ｓ２５のＹｅｓ）、ＥＥＰＲＯＭ４０のタイムスケジール書換え可能領域に書き込まれた設定時間データ（４１〜４８）を読み出しそのデータが設定され（Ｓ２７）、その設定値に基づき制御装置２０は機器を制御する。
【００３２】
一方、タイムスケジュール番号が「Ｎｏ．１５」以外が選択された場合には（Ｓ２５のＮｏ）、ＲＯＭ３０に対応するタイムスケジュール番号のタイムスケジール書換え可能領域から設定時間データ（３１〜３８）を読み出しそのデータが設定され（Ｓ２９）、その設定値に基づき制御装置２０は機器を制御する。
【実施例２】
【００３３】
以下、本実施形態の一実施例を図９乃至図１０に基づいて以下に示す。尚、前記実施例１に記載された構成と同じものは同一符号で示し詳細は省略する。
本実施例の非常用発電機１の制御装置２０を以下に説明する。図９は、本実施例に示す非常用発電機１の制御装置２０裏面の構成概要を示すブロック図である。図１０は、本実施例に示す非常用発電機１の制御装置２０にある操作パネル１２１を示す正面図である。図１１は、本実施例に示すＣＰＵ１２２に設けられたＥＥＰＲＯＭ１４０に記憶され非常用発電機１の制御にかかるタイムスケジュール設定値データのデータテーブルを示す図である。図１２は、本実施例に示す非常用発電機１の動作を示すタイムチャート図である。
【００３４】
図９に示すように、制御装置２０は、表に操作パネル１２１を配置し、裏面には、非常用発電機１全体をコントロールするためのＣＰＵ１２２を内蔵したプリント基板１１０が配置されている。
プリント基板１１０は、不揮発性のＥＥＰＲＯＭ１４０とＲＡＭ２４を内蔵したＣＰＵ１２２が設けられている。また、ＣＰＵ１２２は、出荷時にプログラムデータ及び後述する時間データが一度に書き込まれ生産される。
プリント基板１１０は、その他にも、プリント基板１１０を駆動するための抵抗やトランジスタ又は表側の操作パネル１２１に対応するＬＥＤ及びスイッチ等を含む電子部品が設けられているが、詳細は省略する。
【００３５】
図１０に示すように操作パネル１２１は、操作スイッチとして各種の「切替」スイッチ、「設定」スイッチや「緊急停止」スイッチなどが設けられ、故障の状態を表す表示や供給する電力量等を表す表示が設けられている。
【００３６】
図１１に示すように、ＥＥＰＲＯＭ１４０には停電時の非常用発電機１の制御にかかるタイムスケジュールに関するデータが出荷時に予め記憶されている。これらデータは、７種類の時間データがあり、これらを１つのデータ群として、ＥＥＰＲＯＭ１４０にはそれぞれ設定値としてのデータ値（時間（秒））の組み合わせが異なる１７個のデータ群が記憶されている。番号データのＮｏ．０から１６番までは、予めＥＥＰＲＯＭ１４０に書き込まれており、第１の記憶領域としての番号データのＮｏ．０からＮｏ．１５番までは出荷時以降は、プログラムで書換えが不可能になっている。そして、第２の記憶領域としての番号データのＮｏ．１６番は、出荷時以降でも書換えが可能な領域として記憶領域が設けられており、０から２５５秒まで１秒単位で設定が出来るようになっている。
【００３７】
その個々の時間データには、タイムスケジュールに関するデータが記憶された番号を表す「タイムスケジュール番号データ１３１」と、制御基板２０が停電であるかを確認判断する時間となる「停電確認時間データ１３２」と、エンジン３の始動に際してヒータにより予熱するための時間となる「予熱時間データ１３３」と、制御基板２０が停電が復旧したことを確認判断する時間となる「復電確認時間データ１３５」と、給電を停止しエンジンに負荷が掛かっていないことを確認する時間となる「無負荷運転時間データ１３６」と、エンジンが停止したことを確認する時間となる「停止確認時間データ１３７」と、保護回路が異常であるか否かの判定を遅らせるための時間となる「遅延時間データ１３８」とがある。
【００３８】
（本実施例２の動作）
以下に本実施例の動作を図１２に基づいて説明する。
〔停電時の動作〕
図１２に基づいて停電時に作動する非常用発電機１の動作を示す。以下に示す例は、タイムスケジュール番号＝１の場合を例に取り説明するが、特に設定値を限定するものではない。図１２は、本実施形態の非常用発電機１の動作を示すタイムチャート図である。
制御装置２０は、停電であると検出した場合に、停電確認時間１秒即ち図１２に示すＴ１１時間を確認するための時間と定め、この間絶えず停電を検出を行たり、Ｔ１１時間経過後判断することで停電であることを確認する。このとき、停電であると検出すると燃料ポンプが作動し、エンジン３に燃料を供給する。
【００３９】
そして、Ｔ１１時間経過後は、予熱ヒータ７を駆動する時間３秒即ちＴ１２時間を定め、この時間絶えず予熱ヒータ７によってエンジン３を予熱する。その後、エンジン３を始動させるためにセルモータ５が起動し、エンジン３に接続された発電機２が発電する発電確立電圧が２５．０Ｈｚを検出するまでセルモータ５が作動する。
【００４０】
また、ある一定以上の発電確立電圧１６０Ｖを検出するまで初期励磁が行われ、負荷に電力を供給することが出来るか否かを確認し、負荷に電力を供給するように切替が行われ、負荷への給電が始まる。
そして、制御装置２０は、復電されたことを検出すると、復電が確実なものか否かを確認するための復電確認時間６０秒即ちＴ１３の時間確認する時間が設けられ、復電が確認されると、負荷は通常時の供給状態に切替えられ、発電機２は負荷が接続されていない状態で無負荷運転時間６０秒即ちＴ１４の期間運転される。そして、エンジン３が停止され、停止ソレノイド６が作動し徐々にエンジン３が停止してゆく。完全にエンジンが停止されたか否かを確認するために停止確認時間２０秒即ちＴ１５の時間確認する時間が設けられている。
【００４１】
尚、停電を検出してから発電した電力を負荷に正常に供給するまでには時間がかかり、その間保護回路が異常と誤認しないように遅延時間として保護回路遅延時間３０秒が設けられている。
【００４２】
〔タイムスケジュールの設定値をする際の操作及び停電時タイムスケジュール処理〕
タイムスケジールの出荷後の変更は、操作パネル１２１上から、ＥＥＰＲＯＭ１４０に記憶されたタイムスケジュール番号データ１３１のＮｏ．１６を選択してから、初期値から所望するデータ値に書換えし変更記憶することが出来る。
尚、本実施例２におけるその他のタイムスケジュールの設定値をする際の操作及び停電時タイムスケジュール処理は、実施例１と同様であるので説明は省略する。
【００４３】
（本実施形態の作用及び効果）
以上の本実施形態における実施例１及び実施例２から把握される作用及び効果を以下に説明する。
（１）予め主要な時間データを記憶したＲＯＭ３０又はＥＥＰＲＯＭ１４０と時間データを書換え可能なＥＥＰＲＯＭ４０，１４０を制御装置２０に設け、制御装置２０に設けられたディップスイッチ５０の設定又は操作パネル１２１から選択したタイムスケジュール番号データ１３１を選択することにより時間データを抽出することが出来るので、予め主要な時間データで時間制御が満たされる場合には、書換え不可能なＲＯＭ３０又はＥＥＰＲＯＭ１４０に記載された時間データを設定し、そのＲＯＭ３０又はＥＥＰＲＯＭ１４０内に納められた時間データでは対応することが出来ない場合には、制御装置２０から入力して所望するデータを作成し、ＥＥＰＲＯＭ４０，１４０に記憶し、それ以降は、その作成した時間データ値で非常用発電機１を制御することが出来るので、大量生産してもあらゆる時間設定に対応することが出来る。
【００４４】
（２）ＣＰＵ２２は、ＲＯＭ３０又はＥＥＰＲＯＭ１４０を内蔵することで、出荷時にプログラムデータ及び時間データを一度に書き込むことが出来き、制御装置２０を量産することができると共に、制御装置２０にはＥＥＰＲＯＭ４０,１４０が設けられているため、予め大量に造り置きをすることが出来る。また、データの変更が必要なときはＥＥＰＲＯＭ４０,１４０の書換え可能な記憶領域だけを変更すれば良く時間的なロスも少ない。
【００４５】
（３）上記（１）の効果に加え、ＥＥＰＲＯＭ４０,１４０に記憶されるデータは、時間データであり変更可能なため、装置の経年変化又は法規則の改正によるエンジン３の制御タイミングの変更は、出荷時以降に想定できない場合が多く、制御時間の変更が余儀なくされても、難なく設定時間の変更に対応することが可能となる。
【００４６】
（４）上記（１）の効果に加え、ＥＥＰＲＯＭ４０，１４０に記憶されるデータは、時間データであり変更可能なため、何度も書換えてはエンジン３の調子に合わせながら適正値を設定可能である。
【００４７】
（５）上記（１）の効果に加え、ＥＥＰＲＯＭ４０，１４０に記憶される出荷時の初期値のデータは、最も標準的に使用される時間データを記憶しているので、間違って書換え可能な領域にあるデータ値（実施例１のＮｏ．１５（ディップスイッチ）やＮｏ．１６）を選択したとしても、標準的に使用される適正値であるため、非常用発電が行われないと発電までの切換が遅れるとか負荷に与える障害となることはなく、安全動作が保たれる。
【００４８】
（他の実施形態への変更例）
以上説明した実施形態を他の実施形態へ変更した例を以下に示す。
・以上の本実施形態では、４０秒送電に関する発明について説明したが、１０秒送電に利用しても良く、また、これら以外の規格における非常用発電機１に利用しても良い。
【００４９】
・以上の本実施形態では、選択設定手段としてディップスイッチ５０を使用したが、ロータリースイッチであっても良い。
【００５０】
・以上の本実施形態では、エンジン３の制御と発電機２での電圧又は電流等の電力制御についても、制御装置２０で制御しているが、エンジン制御又は電力制御する制御盤を分けても良く、どちらに本発明の選択設定手段を設けても良く、エンジン制御側に付随するようにするとより設置箇所が明確になると共に、配線等の取り回しが短くて済む。
【００５１】
・以上の本実施形態では、時間データの書換えを操作パネル２１，１２１上で入力して行ったが、パソコン等の端末装置を外部から接続し、ＥＥＰＲＯＭ４０，１４０へ入力を行う方法であっても良い。
【図面の簡単な説明】
【００５２】
【図１】本実施形態の非常用発電機１の構成の概要を示すブロック図である。
【図２】本実施形態の実施例１に示す非常用発電機１の制御装置２０裏面の構成概要を示すブロック図である。
【図３】本実施形態の実施例１に示す非常用発電機１の制御装置２０にある操作パネル２１を示す正面図である。
【図４】（Ａ）本実施形態の実施例１に示すＲＯＭ３０に記憶され非常用発電機１の制御にかかるタイムスケジュール設定値データのデータテーブルを示す図である。          （Ｂ）本実施形態の実施例１に示すＥＥＰＲＯＭ４０に記憶され非常用発電機１の制御にかかるタイムスケジュール設定値データのデータテーブルを示す図である。
【図５】本実施形態の実施例１に示す非常用発電機１の動作を示すタイムチャート図である。
【図６】本実施形態の実施例１に示す非常用発電機１の制御装置２０の特殊モードへの移行処理を示すフロー図である。
【図７】本実施形態の実施例１に示す非常用発電機１の制御装置２０のタイムスケジュールの設定値を登録するタイムスケジュール登録処理を示すフロー図である。
【図８】本実施形態の実施例１に示す停電時における非常用発電機１の制御装置２０がタイムスケジュール番号を選択する際の停電時タイムスケジュール処理を示すフロー図である。
【図９】本実施形態の実施例２に示す非常用発電機１の制御装置２０裏面の構成概要を示すブロック図である。
【図１０】本実施形態の実施例２に示す非常用発電機１の制御装置２０にある操作パネル１２１を示す正面図である。
【図１１】本実施形態の実施例２に示すＣＰＵ１２２に設けられたＥＥＰＲＯＭ１４０に記憶され非常用発電機１の制御にかかるタイムスケジュール設定値データのデータテーブルを示す図である。
【図１２】本実施形態の実施例２に示す非常用発電機１の動作を示すタイムチャート図である。
【符号の説明】
【００５３】
１・・・非常用発電機、２・・・発電機、３・・・エンジン、４・・・バッテリ、
５・・・セルモータ、６・・・停止ソレノイド、７・・・予熱ヒータ、
８・・・燃料ポンプ、９・・・電機接続配線、
１０,１１０・・・プリント基板、１１・・・負荷送電線、
２０・・・制御装置（制御盤）、２１,１２１・・・操作パネル、
２２,１２２・・・ＣＰＵ、２４・・・ＲＡＭ、
３０・・・ＲＯＭ、３１，４１,１３１・・・タイムスケジュール番号データ、
３２，４２,１３２・・・停電確認時間データ、
３３，４３,１３３・・・予熱時間データ、
３４，４４・・・プライミング時間データ、
３５，４５,１３５・・・復電確認時間データ、
３６，４６,１３６・・・無負荷運転時間データ、
３７，４７,１３７・・・停止確認時間データ、
３８，４８,１３８・・・保護回路遅延時間データ、
４０,１４０・・・ＥＥＰＲＯＭ、５０・・・ディップスイッチ。
【図３】
0004765758.tif 000002
【図４】
0004765758.tif 000003
【図５】
0004765758.tif 000004
【図１０】
0004765758.tif 000005
【図１１】
0004765758.tif 000006
【図１２】
0004765758.tif 000007
【図１】
0004765758.tif 000008
【図２】
0004765758.tif 000009
【図６】
0004765758.tif 000010
【図７】
0004765758.tif 000011
【図８】
0004765758.tif 000012
【図９】
0004765758.tif 000013